(57)【要約】【課題】  ノイズフィルタの電極に電流を流す際に、金属板を抵抗とインダクタンスと電極の静電容量とからなる分布定数回路として電子部品から発せられる電気的ノイズを広帯域にわたって除去する。【解決手段】  分布定数型ノイズフィルタとして、略平板形状をなす二つの誘電体が略平板形状をなす金属板を挟んでなる分布定数回路形成部を備える。さらに、この分布定数回路形成部に導通する陰極端子と、金属板の一部が誘電体から突出してなる電極部と、この電極部に電気的に接続された陽極端子とを備える。このような構成の分布定数型ノイズフィルタにおいて、分布定数回路形成部の短辺方向の長さＷと誘電体の実効厚さｈとの比及び前記分布定数回路形成部の長辺方向の長さＬが、電子部品から発せられる電気的ノイズを広帯域にわたって除去するように、分布定数回路形成部の誘電率に基づいて設定される。【選択図】      図１
2005318643.tif 000002
【特許請求の範囲】
【請求項１】
対向配置された略平板状の第１および第２の導電体と、これら第１及び第２の導電体との間に形成された電気二重層コンデンサ構造とを含む伝送線路構造の分布定数型ノイズフィルタ。
【請求項２】
前記電気二重層コンデンサ構造は、集電体と、活性炭電極及びセパレータを挟んで形成される電気二重層セルを含むことを特徴とする請求項１記載の分布定数型ノイズフィルタ。
【請求項３】
複数個の前記電気二重層セルが積層されていることを特徴とする請求項２記載の分布定数型ノイズフィルタ。
【請求項４】
前記第１の導電体は、一端に第１の電極端子と、他端に第２の電極端子を有することを特徴とする請求項１から３のいずれか１の請求項記載の分布定数型ノイズフィルタ。
【請求項５】
前記電気二重層コンデンサ構造は、短辺方向の長さ（Ｗ）、長辺方向の長さ（Ｌ）、および実効厚さ（ｈ）とするとき、前記短辺方向の長さ（Ｗ）と前記厚さ（ｈ）との比が０．００９より大きくなるように設定されていることを特徴とする請求項１から４のいずれか１の請求項記載の分布定数型ノイズフィルタ。
【請求項６】
対向配置された略平板状の第１および第２の導電体と、前記第１および第２の導電体に挟まれた誘電体とを含む平板状のコンデンサを備えるとともに、
前記コンデンサは、集電体と、活性炭電極および電解液とが、セパレータを挟むように形成され、前記活性炭電極表面と電解液との界面で前記誘電体を構成し、前記集電体で前記導電体を構成する電気二重層コンデンサであって、
前記第１の導電体の一端は電源に電気的に接続され、
前記第１の導電体の他端は電子部品に電気的に接続され、
前記第２の導電体は電源の他の電位に電気的に接続され、
前記コンデンサは、短辺方向の長さ（Ｗ）、長辺方向の長さ（Ｌ）、および実効厚さ（ｈ）が、コンデンサの誘電率に基づいて設定され、伝送線路構造を形成することを特徴とする分布定数型ノイズフィルタ。
【請求項７】
前記電気二重層コンデンサは、複数の電気二重層セルを備えたことを特徴とする６記載の分布定数型ノイズフィルタ。
【請求項８】
前記短辺方向の長さ（Ｗ）と前記厚さ（ｈ）との比が０．００９より大きくなるように設定されていることを特徴とする請求項７記載の分布定数型ノイズフィルタ。
【請求項９】
分布定数型ノイズフィルタにおいて、電源に接続される第１の電極部と電気部品に接続される第２の電極部とを両端に有する第１の導電体と、前記第１の導電体と対向配置され、固定電位に接続される第２の導電体とを備えるとともに、前記第１の導電体と前記第２の導電体との対向配置された領域に形成される分布定数回路形成部を有し、前記分布定数回路形成部は伝送線路構造を形成するように前記分布定数回路形成部の短辺方向の長さ（Ｗ）、長辺方向の長さ（Ｌ）及び実効厚さ（ｈ）が設定されていることを特徴とする分布定数型ノイズフィルタ。
【発明の詳細な説明】
【技術分野】
【０００１】
本発明は、分布定数型ノイズフィルタに関し、特に広帯域で高周波特性に優れた分布定数型ノイズフィルタに関するものである。
【背景技術】
【０００２】
デジタル技術はＩＴ（Information Technology）産業を支える重要な技術である。最近ではコンピュータや通信関連機器だけでなく、家庭電化製品や車載用機器にもＬＳＩ等のデジタル回路技術が使用されている。
【０００３】
ＬＳＩなどで発生した高周波電流は、ＬＳＩ近傍にとどまらず、プリント回路基板等の実装回路基板内の広い範囲に広がり、信号配線やグランド配線に誘導結合し、信号ケーブルなどから電磁波として漏洩する。
【０００４】
従来のアナログ回路の一部をデジタル回路に置き換えた回路や、アナログ入出力をもつデジタル回路など、アナログ回路とデジタル回路が混載される回路では、デジタル回路からアナログ回路への電磁干渉問題が深刻になってきている。
【０００５】
この対策には高周波電流の発生源であるＬＳＩを供給電源系から高周波的に分離すること、すなわち電源デカップリングの手法が有効である。従来からデカップリング用素子にはバイパスコンデンサなどのノイズフィルタが使用されてきており、電源デカップリングの動作原理は簡単明瞭だが、デジタル回路の高速化に対応できる低インピーダンスのノイズフィルタの開発は大幅に遅れていた。とくにコンデンサの自己共振現象のため高周波数領域まで低インピーダンスを維持するのは困難であった。
【０００６】
このため、より高速、高周波化されるデジタル回路に対応するためには、高周波数帯域までデカップリングを維持できる、低インピーダンスのノイズフィルタが望まれている。従来の交流回路に用いられるノイズフィルタとしてのコンデンサは、２端子構成の集中定数型ノイズフィルタを構成しており、固体電解コンデンサ及び電気二重層コンデンサやセラミックコンデンサが多く用いられている。
【０００７】
これらのコンデンサを用いて交流回路内における電気的ノイズの除去を広い周波数帯域にわたって行う場合には、複数種類のコンデンサ、例えば自己共振振動数が異なるアルミ電解コンデンサ、タンタルコンデンサ、セラミックコンデンサ等の異種のコンデンサを交流回路内に複数備えることによって行われていた。
【発明の開示】
【発明が解決しようとする課題】
【０００８】
しかしながら、従来のノイズフィルタにおいては、広帯域の周波数の電気的ノイズを除去するために使用する複数のノイズフィルタの選定が煩わしかった。また、異種のノイズフィルタを複数設置するためにコストが高くなるという問題があった。
【０００９】
したがって、本発明の目的は、一個のノイズフィルタ素子でも、広帯域の周波数を除去するだけでなく、高周波帯域の電子部品から発せられる電気的ノイズを濾波することができるノイズフィルタを提供することにある。
【課題を解決するための手段】
【００１０】
本発明によれば、伝送線路構造を有する３端子コンデンサ形式の分布定数型ノイズフィルタが得られる。
【００１１】
すなわち、分布定数回路形成部の幅、長さ及び厚さを制御することにより、広範囲に連続するインピーダンスを生成しうる分布定数回路を仮想的に備えた分布定数型ノイズフィルタが得られる。
【００１２】
本発明によれば、分布定数型ノイズフィルタにおいて、電源に接続される第１の電極部と電気部品に接続される第２の電極部とを両端に有する第１の導電体と、前記第１の導電体と対向配置され、固定電位に接続される第２の導電体とを備えるとともに、前記第１の導電体と前記第２の導電体との対向配置された領域に形成される分布定数回路形成部を有し、前記分布定数回路形成部は伝送線路構造を形成するように前記分布定数回路形成部の短辺方向の長さ（Ｗ）、長辺方向の長さ（Ｌ）及び実効厚さ（ｈ）が設定されていることを特徴とする分布定数型ノイズフィルタが得られる。
【００１３】
より具体的には、本発明による分布定数型ノイズフィルタは、略平板形状をなす二つの誘電体が略平板形状をなす金属板を挟んでなる分布定数回路形成部と、この分布定数回路形成部に導通する陰極端子と、金属板の一部が誘電体から突出してなる電極部と、この電極部に電気的に接続された陽極端子とを備える基本構成を有している。そして、分布定数回路形成部の短辺方向の長さＷ及び分布定数回路形成部の長辺方向の長さＬ及び分布定数回路形成部の実効厚さｈが分布定数回路形成部の誘電率に基づいて設定されたことを特徴とする。
【００１４】
本発明の他の実施態様としては、上記基本構成を有する分布定数型ノイズフィルタは、分布定数回路形成部の短辺方向の長さＷと誘電体の実効厚さｈとの比、及び分布定数回路形成部の長辺方向の長さＬが分布定数回路形成部の誘電率に基づいて設定されたことを特徴とする。
【００１５】
これらの構成とすることにより、広周波数帯域にわたってインピーダンスを低くすることができる。さらに、高周波数側でインピーダンスを低くすることができるため、広帯域、特に高周波数での電気的ノイズの除去を行う分布定数型ノイズフィルタを提供することができる。
【００１６】
本発明のさらに他の実施形態としては、上記の分布定数型ノイズフィルタにおいて、陽極端子の表面積Ｓ２が陽極端子と電極部との設置面積Ｓ１よりも大に設定されたことを特徴とする。
【００１７】
係る構成とすることにより、Ｓ１とＳ２とが等しい構造よりもインピーダンスを小さくすることができ、高周波における電気的ノイズの除去を実現することができる。
【００１８】
上記分布定数型ノイズフィルタにおいては、電源に接続される電極の短辺方向の長さＷ２が電子部品に接続された負荷側の電極の短辺方向の長さＷ１よりも大に設定されたことをも特徴とする。
【００１９】
一般に直流電源のインピーダンスは低く、ＬＳＩの電源端子のインピーダンスは高い。従って、係る構成とすることにより、ＬＳＩ等が接続された負荷側のインピーダンスが高くなり、整合され、電気的ノイズを本発明に係る分布定数型ノイズフィルタに導いて減衰しやすくすることができる。
【００２０】
さらに、これらの分布定数型ノイズフィルタは、分布定数回路形成部の長辺側の側面部に一つ以上の切り欠き部が形成された構成とすることが出来る。このような切り欠き部が形成された構成により、分布定数回路形成部内にインピーダンスの格差を生じさせ、結果として電気的ノイズの減衰を向上させることができる。
【００２１】
また、上記切り欠き部が形成された構成の分布定数型ノイズフィルタにおいて、分布定数回路形成部は、電源に接続される電極部の短辺方向の長さＷ２及び電子部品が接続された負荷側の電極部の短辺方向の長さＷ１の何れか一方よりも小に設定された領域を有することをも特徴とする。
【００２２】
係る構成とすることにより、分布定数回路形成部内にインピーダンスが高い領域を形成し、π型フィルタ回路を形成し、電気的ノイズの減衰を向上させることができる。
【００２３】
さらにまた、上記切り欠き部が形成された構成を有する分布定数型ノイズフィルタにおいて、分布定数回路形成部が蛇行形状などの一つ以上の屈曲した形状をなすことを特徴とする。係る構成とすることにより、伝送線路の線路長、すなわち分布定数回路形成部の長辺方向の長さを長くすることにより、電気的ノイズの減衰が向上する。
【００２４】
以上述べた本発明による分布定数型ノイズフィルタは、その分布定数回路形成部が固体電解コンデンサ、電気二重層コンデンサまた二つ以上の電気二重層セルが積層された構成であることをも特徴とする。係る構成とすることにより、分布定数回路形成部における耐電圧を向上させることができる。
【００２５】
また、本発明による分布定数型ノイズフィルタは、各電極部または各陽極端子、及び陰極端子にリード線を接続したことを特徴とする。係る構成とすることにより高周波数でのインピーダンス特性は若干悪くなるものの、実装時の利便性が増す。
【発明の効果】
【００２６】
以上説明したように、本発明に係る分布定数型ノイズフィルタによれば、従来のように自己共振振動数の異なるノイズフィルタ（コンデンサ）を複数設置することなく、広帯域の周波数のノイズを高精度で除去することができる。すなわち、交流回路内に設置されるコンデンサにノイズ除去のための周波数帯域の設定といった面倒な作業を行う必要がなく、コストを低減することができる。
【発明を実施するための最良の形態】
【００２７】
次に、本発明の実施の形態について図面を参照して詳細に説明する。
【００２８】
図１（ａ）乃至図１（ｃ）を参照すると、本発明に係る分布定数型ノイズフィルタ１は、直方体形状の分布定数回路形成部２の長辺方向に突出した一対の電極部２１ａを備えた３端子コンデンサ構造を有する。図１（ａ）のＡ−Ａ断面およびＢ−Ｂ断面の図１（ｂ）および図１（ｃ）に示すように、分布定数回路形成部２は略平板形状の金属板２１を二つの誘電体２２を介在して対向金属層４１で挟んだストリップ線路と呼ばれる伝送線路構造となっている。金属板２１が分布定数回路形成部２の両端から突出した部分は電極部２１ａである。このような構成の分布定数型ノイズフィルタ素子は、以下に記載するように、その両電極部２１ａが電源および負荷回路にそれぞれに接続されるとともに、対向金属層４１が接地電位等の固定電位に接続されることにより、周波数帯域の広いノイズフィルタとして機能する。
【００２９】
以下、ノイズフィルタ１の長辺方向（Ｘ方向）の分布定数回路形成部２の長さをＬとし、分布定数回路形成部２の短辺方向（Ｙ方向）の長さをＷとして説明する。
【００３０】
本発明に係るノイズフィルタ１は、電源および電子部品に接続される実装基板３０に設置される。すなわち、ノイズフィルタ１の両電極部２１ａは、実装基板３０上で、ＤＣ電源８に接続された電源端子３１とＬＳＩなどの電子部品９に接続された部品端子３２にそれぞれ接続される。さらに、分布定数回路形成部２の対向金属層４１を接地電位などの固定電位にするための電極端子４が実装基板３０に設けられている。
【００３１】
図１に示したノイズフィルタの一例として、図２に示すようなアルミ固体電解コンデンサ６の場合を説明する。このアルミ固体電解コンデンサは、箔状のアルミニウム２１の表面にエッチング処理により凹凸をつけ、その表面に沿って誘電体として酸化皮膜２２ｂを形成する。さらにその酸化皮膜の表面に対向電極として導電性高分子層などの固体電解質層２２ｃ、グラファイト、銀ペースト層２２ａを形成したものである。この構成は、図１のノイズフィルタと同様のストリップ線路構造である。すなわち、線路導体が中心のアルミニウムであり、誘電体が酸化皮膜の形成されたエッチング層に相当する。また、接地導体が固体電解質層、グラファイトおよび銀ペースト層に相当する。エッチング層は表面積を大きくする処理が施されているため、同形状では単一の材料を用いるセラミックコンデンサなどよりも大きな静電容量を得ることができ、分布定数型ノイズフィルタに適している。
【００３２】
試作した線路素子の形状は線路幅１０ｍｍ×線路長２０ｍｍで、誘電体の厚みに相当する厚みは約０．１５ｍｍである。また、線路全体での静電容量は３３０μＦ（定格電圧４Ｖ）であった。本素子の特性インピーダンスは下記に述べる式により０．５ｍΩと計算される。
【００３３】
電極部２１ａは前述したように、電源端子３１および部品端子３２にそれぞれ接続されるが、図３に示すように、電源端子３１および部品端子３２の各表面積Ｓ２は、電極部２１ａと電源端子３１および部品端子３２との接続領域の各面積Ｓ１よりも大に設定されることが望ましい。その理由の一番目は、両者の接触面積をできるだけ大きくして接触抵抗を下げることにある。接触抵抗が大きいと直流分の損失が生じ、発熱するためである。理由の二番目は、電源端子３１および部品端子３２の面積が小さいとこれら端子のインピーダンスが高くなりノイズ成分である高周波電流を金属板２１に導入しにくくなるためである。
【００３４】
ここで、広帯域にわたり、かつ高周波数の電気的ノイズを除去することができる本発明に係る分布定数型ノイズフィルタの構造決定について以下に説明する。
【００３５】
まず、図４（ａ）に示すような、内部の金属板２１を誘電体２０を介して一対の金属板４０で挟んだ構成の伝送線路モデルにおいて、単位長さあたりの容量Ｃ及びインダクタンスＬは、
Ｃ＝４ε0εrＷ／ｄ、  Ｌ＝１／４・μ0・ｄ／Ｗ
（ε0：真空の誘電率、εr：誘電体の比誘電率、ｄ：誘電体の厚み、μ0：真空の透磁率）
と、表すことができる。
【００３６】
これにより、この伝送線路モデルの特性インピーダンスＺ0は次のようになる。
【００３７】
Ｚ0＝（Ｌ／Ｃ）1/2
＝１／４・（ｄ／Ｗ）・（μ0／ε0εr）1/2
次に、伝送線路の分布定数回路形成部がアルミ固体電解コンデンサ、電気二重層コンデンサ、セラミックコンデンサの場合について考える。
【００３８】
アルミ固体電解コンデンサの分布定数回路形成部はエッチングにより表面積が拡大されたアルミニウムに酸化皮膜が形成されており、電気二重層コンデンサの分布定数回路形成部は活性炭電極表面と電解液の界面に生じている。これらは複雑な形状をしており、取り扱いを容易にするために、これらの場合については単位長さ当たりの静電容量と実効厚みから等価的比誘電率を定義して取り扱う。単位長さ当たりの静電容量Ｃ、分布定数回路形成部の実効厚みをｈ、等価的比誘電率をεuとすれば
Ｃ＝４・ε0εu・Ｗ／ｈより
εu＝１／（４ε0）・Ｃ・ｈ／Ｗ
（ε0は真空の誘電率８．８５×１０-12 Ｆ／ｍ）
ここで前述のような一般的なアルミ固体電解コンデンサの場合、単位長さ当たりの静電容量、及び分布定数回路形成部（ここでは酸化皮膜の形成されたエッチング層）の実効厚み、幅は以下のような値であるので
Ｃ＝１．６５×１０-2（Ｆ／ｍ）
ｈ＝１．５×１０-4（ｍ）、Ｗ＝１．０×１０-2（ｍ）
等価的比誘電率εuは７．０×１０6となる。
【００３９】
また、同様に一般的な電気二重層コンデンサの場合、単位長さ当たりの静電容量、及び分布定数回路形成部（ここでは上下の集電体にはさまれた部分）の実効厚み、幅はおよそ以下のような値であるので
Ｃu＝３．５４×１０1（Ｆ／ｍ）
ｈ＝１×１０-4（ｍ）、Ｗ＝１×１０-2（ｍ）
等価的比誘電率εuは１．０×１０10となる。
【００４０】
セラミックコンデンサでは分布定数回路形成部が均一なセラミック材料そのものからなる場合、等価的比誘電率はセラミック材料の比誘電率そのものであり、８．０×１０3程度である。
【００４１】
前述の特性インピーダンスの式において、誘電体の比誘電率εrに各コンデンサの等価的比誘電率εuを使用し、ｄに実効厚みｈを使用すると特性インピーダンスは次のようになる。
【００４２】
Ｚ0＝１／４・（ｈ／Ｗ）・（μ0／ε0εu）1/2
また、十分な電気的ノイズの除去を行うためには、特性インピーダンスを０．１Ω以下とすることが望まれているので、特性インピーダンスが０．１Ω以下になる条件は
Ｗ／ｈ＞２．５（μ0／ε0εu）1/2
である。
【００４３】
真空の誘電率ε0を８．８５×１０-12 （Ｆ／ｍ）とし、真空の透磁率μ0を１．
２６×１０-6(H／ｍ)とし、各コンデンサにおいてのεuの値を代入すると
アルミ固体電解コンデンサでは、Ｗ／ｈ＞０．３６
電気二重層コンデンサでは、Ｗ／ｈ＞０．００９
セラミックコンデンサでは、Ｗ／ｈ＞１１
となる。
【００４４】
さらに、分布定数回路形成部での波長は、誘電体による波長短縮を考慮すると、以下の式で計算できる。
【００４５】
λ＝ｃ／ｆεr1/2
但し、λ：波長（ｍ）、ｃ：光速３．０×１０8（ｍ／ｓ）、ｆ：周波数（Ｈｚ）
一般に要求されるノイズ規制の周波数範囲を３０ＭＨｚ〜１ＧＨｚと設定した場合、最も波長の長くなる３０ＭＨｚでの波長の値は、εrをεuの値で計算すると、
アルミ電解コンデンサでは３．８ｍｍ
電気二重層コンデンサでは０．１ｍｍ
セラミックコンデンサでは１１２ｍｍ
である。ここで、減衰を十分に行うためには、ノイズフィルタの長辺方向の長さＬを１／４波長以上とすることが望ましい。従って、それぞれを分布定数回路形成部に採用した場合についてみると、
アルミ電解コンデンサの場合  Ｌ＞０．９５ｍｍ
電気二重層コンデンサの場合  Ｌ＞０．０２５ｍｍ
セラミックコンデンサの場合  Ｌ＞２８ｍｍ
と設定することによって、広帯域にわたり電気的ノイズを除去できる分布定数型ノイズフィルタを得ることができる。
【００４６】
このようにして得られた本発明に係る分布定数型ノイズフィルタにおける、周波数とインピーダンスとの関係を表したグラフが図４（ｂ）である。
【００４７】
ここでは、従来のノイズフィルタ（０．１μＦの積層セラミックチップコンデンサ）を用いた場合における、周波数とインピーダンスとの関係も表している。このグラフは、本発明に係る分布定数型ノイズフィルタ及び従来のノイズフィルタを実装基板上に設置し、ネットワークアナライザに接続し、Ｓパラメータを測定することによってそれぞれのインピーダンスを算出したものである。
【００４８】
このグラフによる比較で明らかなように、本発明に係る分布定数型ノイズフィルタは従来に比べ、低周波から高周波までインピーダンスが小さい。また、広帯域にわたってインピーダンスの振幅差が少ないだけでなく、１０ＭＨｚ以上の高周波に対しても従来のノイズフィルタのようにインピーダンスが著しく増加していないため、従来のノイズフィルタより広帯域で安定したノイズフィルタを得ることができる。
【００４９】
次に、本発明に係る分布定数型ノイズフィルタの実施の形態における動作について図１を参照して以下に説明する。
【００５０】
本発明に係る分布定数型ノイズフィルタは、一方の電極部２１ａに陽極端子３を介して間接的にＤＣ電源８が接続され、他方の電極部２１ａに陽極を介して間接的にＬＳＩ等の電子部品９が接続されて実施される。
【００５１】
次に、本発明に係る分布定数型ノイズフィルタの第二の実施の形態における構成ついて説明する。但し、この説明においては、前述した本発明の実施の形態と同様の構成をなす部分については説明を省略する。
【００５２】
図５は、本発明に係る分布定数型ノイズフィルタの第二の実施の形態における構成を示す平面図である。図５に示すように、分布定数回路形成部２は、その両短辺の長さが異なるように形成されてもよい。
【００５３】
すなわち、分布定数回路形成部２の長い短辺の長さをＷ２、短い短辺の長さをＷ１とすると、分布定数回路形成部２の両短辺から突出した二つの電極部２１ａのうち、長い短辺側から突出した電極部２１ａには、陽極端子３を介して電源８が接続される。
【００５４】
また、分布定数回路形成部２の両短辺から突出した二つの電極部２１ａのうち、短い短辺側から突出した電極部２１ａには、陽極端子３を介してＬＳＩ等の電子部品９が接続される。
【００５５】
次に、本発明に係る分布定数型ノイズフィルタの第三の実施の形態における構成について説明する。但し、この説明においては、前述した本発明の実施の形態と同様の構成をなす部分については説明を省略する。
【００５６】
図６は、本発明に係る分布定数型ノイズフィルタの第三の実施の形態における構成を示す平面図である。
【００５７】
図６に示すように、本発明に係る分布定数型ノイズフィルタの第三の実施の形態においては、分布定数回路形成部２の形状はほぼ中心部にくびれた領域を有している。具体的には、分布定数回路形成部２の長辺側面に一つ以上の切り欠き部が設けられ、分布定数回路形成部２の両短辺の長さＷに対してＷ＞Ｗ３を満たす短辺の長さＷ３の領域が形成されている。
【００５８】
このとき、分布定数回路形成部２の両短辺の長さは等しくなくてもよく、少なくとも分布定数回路形成部２の両短辺の何れか一方の長さよりもＷ３が小であればよい。
【００５９】
次に、本発明に係る分布定数型ノイズフィルタの第四の実施の形態における構成について説明する。但し、この説明においては、前述した本発明の実施の形態と同様の構成をなす部分については説明を省略する。
【００６０】
図７は、本発明に係る分布定数型ノイズフィルタの第四の実施の形態における構成を示す平面図である。
【００６１】
図７に示すように、本発明に係る分布定数型ノイズフィルタの第四の実施の形態においては、分布定数回路形成部２の長辺側の側面に二つ以上の切り欠きが形成され、分布定数回路形成部２自体が屈曲したジグザグ形状をなしている。このような形状を分布定数回路形成部２に採用することによって、分布定数回路形成部２の線路長が増し、広帯域の周波数にわたって電気的ノイズを濾波することができる。
【００６２】
このようにして得られた本発明に係る分布定数型ノイズフィルタの実施の形態における周波数とインピーダンスとの関係を表したグラフが図８である。ここでは、従来のノイズフィルタ（０．１μＦのチップコンデンサ）を用いた場合における、周波数とインピーダンスとの関係も表している。
【００６３】
このグラフは、本発明に係る分布定数型ノイズフィルタ及び従来のノイズフィルタを実装基板上に設置し、ネットワークアナライザに接続し、Ｓパラメータを測定することによってそれぞれのインピーダンスを算出したものである。比較して明らかなように、本発明に係る分布定数型ノイズフィルタは従来に比べ、低周波から高周波までインピーダンスが小さいことがわかる。
【００６４】
また、広帯域にわたってインピーダンスの変化が少ないだけでなく、１０ＭＨｚ以上の高周波に対しても従来のノイズフィルタのようにインピーダンスが著しく増加していないため、従来のノイズフィルタより広帯域で安定したノイズフィルタを得ることができる。
【００６５】
特に、本発明に係る分布定数型ノイズフィルタのいずれの実施の形態においても、従来のノイズフィルタより高周波数側でインピーダンスが低くなっているため、ＬＳＩの技術向上に伴う高周波数の電気ノイズの除去を達成しうる。
【００６６】
以上、本発明に係る分布定数型ノイズフィルタの実施の形態においては、分布定数回路形成部として主に固体電解コンデンサを採用することができるが、特に分布定数回路形成部に電気二重層コンデンサを採用した場合の第五の実施の形態について以下に説明する。
【００６７】
但し、この説明においては、前述した本発明の実施の形態と同様の構成をなす部分については説明を省略する。
【００６８】
図９（ａ）は、本発明に係る分布定数型ノイズフィルタの第五の実施の形態における構成を示す平面図である。
【００６９】
図９（ａ）に示すように、本発明に係る分布定数型ノイズフィルタの第五の実施の形態においては、分布定数回路形成部に電気二重層コンデンサを採用するが、絶縁部５内に複数の電気二重層セル７１からなる分布定数回路形成部とすることによって、耐電圧をより大とすることができる。
【００７０】
また、図９（ｂ）に示すように、各電気二重層コンデンサ７は、ガスケット２７の上下に配置された集電体２３が陽極及び陰極を形成し、集電体２３と導通する活性炭電極２４及び電解液２５が、電解液を通過可能なセパレータ２６を挟むように形成されている。
【００７１】
図１０（ａ）、（ｂ）は、本発明に係る分布定数型ノイズフィルタの第六の実施の形態における構成を示す平面図およびそのＣ−Ｃ断面図である。図１０（ａ）に示すように、本発明に係る分布定数型ノイズフィルタの第六の実施の形態においては、各電極部または各陽極端子にリード線３１１、３２１を接続し、陰極端子４にリード線４００を一本または複数（図では２本）接続した構成とする。これにより高周波数でのインピーダンス特性は若干悪くなるものの、実装時の利便性が増す。
【００７２】
最後に、本発明の主な特徴を次に列挙する。
【００７３】
（１）分布定数型ノイズフィルタにおいて、電源に接続される第１の電極部と電気部品に接続される第２の電極部とを両端に有する第１の導電体と、前記第１の導電体と対向配置され、固定電位に接続される第２の導電体とを備えるとともに、前記第１の導電体と前記第２の導電体との対向配置された領域に形成される分布定数回路形成部を有し、前記分布定数回路形成部は伝送線路構造を形成するように前記分布定数回路形成部の短辺方向の長さ（Ｗ）、長辺方向の長さ（Ｌ）及び実効厚さ（ｈ）が設定されていることを特徴とする分布定数型ノイズフィルタ。
【００７４】
（２）前記長辺方向の長さ（Ｌ）が前記電子部品から発生する高周波の１／４波長以上の長さとなるように設定されていることを特徴とする上記（１）記載の分布定数型ノイズフィルタ。
【００７５】
（３）前記短辺方向の長さ（Ｗ）と前記厚さ（ｈ）との比が、前記分布定数型ノイズフィルタの伝送線路モデルにおける特性インピーダンスが０．１Ω以下となるように設定されていることを特徴とする上記（１）記載の分布定数型ノイズフィルタ。
【００７６】
（４）前記陽極端子の表面積（Ｓ２）が陽極端子と前記電極部との設置面積（Ｓ１）よりも大に設定されていることを特徴とする（１）記載の分布定数型ノイズフィルタ。
【００７７】
（５）前記第１の電極部の短辺方向の長さ（Ｗ２）が前記第２の電極部の短辺方向の長さ（Ｗ１）よりも大に設定されていることを特徴とする上記（１）記載の分布定数型ノイズフィルタ。
【００７８】
（６）前記分布定数回路形成部の長辺側の側面部に一つ以上の切り欠き部が形成されていることを特徴とする上記（１）記載の分布定数型ノイズフィルタ。
【００７９】
（７）前記第１の電極部の短辺方向の長さＷ２及び前記第２の電極部の短辺方向の長さ（Ｗ１）の何れか一方よりも小に設定されていることを特徴とする上記（５）記載の分布定数型ノイズフィルタ。
【００８０】
（８）前記分布定数回路形成部は、一つ以上の屈曲した形状をなすことを特徴とする上記（１）記載の分布定数型ノイズフィルタ。
【００８１】
（９）前記分布定数回路形成部が固体電解コンデンサであることを特徴とする上記（１）記載の分布定数型ノイズフィルタ。
【００８２】
（１０）前記分布定数回路形成部が電気二重層コンデンサであることを特徴とする上記（１）記載の分布定数型ノイズフィルタ。
【００８３】
（１１）前記固体電解コンデンサはアルミ固体電解コンデンサであり、前記短辺方向の長さ（Ｗ）と前記厚さ（ｈ）との比が０．３６より大きくなるように設定されていることを特徴とする上記（９）記載の分布定数型ノイズフィルタ。
【００８４】
（１２）前記短辺方向の長さ（Ｗ）と前記厚さ（ｈ）との比が０．
００９より大きくなるように設定されていることを特徴とする上記（１０）記載の分布定数型ノイズフィルタ。
【００８５】
（１３）前記第１の電極部と前記第２の電極部におのおのリード線が接続され、前記第２の導電体に１本以上のリード線が接続されていることを特徴とする上記（１）記載の分布定数型ノイズフィルタ。
【図面の簡単な説明】
【００８６】
【図１】本発明に係る分布定数型ノイズフィルタの第一の実施の形態における構成を示す平面図および断面図。
【図２】本発明のノイズフィルタとして、３端子構成の固体電解コンデンサの場合を示す断面斜視図。
【図３】図１（ａ）における電極部の好ましい形態を説明するための平面図。
【図４】本発明に係る第一の実施の形態による分布定数型ノイズフィルタの分布定数回路形成部を示す斜視図と、その周波数特性を従来例と比較して示すグラフ。
【図５】本発明に係る分布定数型ノイズフィルタの第二の実施の形態における構成を示す平面図。
【図６】本発明に係る分布定数型ノイズフィルタの第三の実施の形態における構成を示す平面図。
【図７】本発明に係る分布定数型ノイズフィルタの第四の実施の形態における構成を示す平面図。
【図８】本発明に係る分布定数型ノイズフィルタの第一〜第四の実施の形態における周波数特性を従来例と比較して示すグラフ。
【図９】本発明に係る分布定数型ノイズフィルタの第五の実施の形態における構成を示す断面図と、同図に示す電気二重層コンデンサの単一セルの構成を示す断面斜視図。
【図１０】本発明に係る分布定数型ノイズフィルタの第六の実施の形態における構成を示す平面図およびその断面図。
【符号の説明】
【００８７】
１    分布定数型ノイズフィルタ
２    分布定数回路形成部
３    陽極端子
４    陰極端子
５    絶縁部
６    固体電解コンデンサ
７    電気二重層コンデンサ
８    電源
９    電子部品
２０，２２    誘電体
２１    金属板
２１ａ    電極部
２２ａ    グラファイト、銀ペースト層
２２ｂ    酸化皮膜
２２ｃ    導電性高分子層などの固体電解質層
２３    集電体
２４    活性炭電極
２５    電解液
２６    セパレータ
２７    ガスケット
３０    実装基板
４０    金属板
４１    対向金属層
７１    電気二重層セル
３１１，３２１，４００    リード線
【図１】
2005318643.tif 000003
【図２】
2005318643.tif 000004
【図３】
2005318643.tif 000005
【図４】
2005318643.tif 000006
【図５】
2005318643.tif 000007
【図６】
2005318643.tif 000008
【図７】
2005318643.tif 000009
【図８】
2005318643.tif 000010
【図９】
2005318643.tif 000011
【図１０】
2005318643.tif 000012